(57)【要約】      （修正有）【課題】自分のスケジュールを確認する際に、一瞥するだけでスケジュールを確認することができる携帯用スケジュール記録具を提供する。【解決手段】携帯用スケジュール記録具は、収納ケース１０と、収納ケースに収納されたカード型カレンダー１２とを備え、収納ケースは透明な合成樹脂シートからなり、収納ケースは、少なくとも収納袋部１４と、カード型カレンダーを収納する表側ポケット部１６とからなり、収納袋部は開閉可能な開口部１８を有し、表側ポケット部は収納袋部の一方の面側に積層された状態で設けられている。開口部はスライドファスナー２０により開閉可能になっている。【選択図】図１
0003222450.tif 000002
【実用新案登録請求の範囲】
【請求項１】
収納ケースと、該収納ケースに収納されたカード型カレンダーとを備え、該収納ケースは透明な合成樹脂シートからなり、該収納ケースは、少なくとも収納袋部と、該カード型カレンダーを収納する表側ポケット部とからなり、該収納袋部は開閉可能な開口部を有し、該表側ポケット部は該収納袋部の一方の面側に積層形成された状態で設けられていることを特徴とする携帯用スケジュール記録具。
【請求項２】
前記カード型カレンダーが月単位で形成されていることを特徴とする請求項１に記載の携帯用スケジュール記録具。
【請求項３】
前記カード型カレンダーがクリアファイルに収納されて前記表側ポケット部に収納されていることを特徴とする請求項１に記載の携帯用スケジュール記録具。
【請求項４】
前記開口部がスライドファスナーにより開閉可能になっていることを特徴とする請求項１に記載の携帯用スケジュール記録具。
【請求項５】
前記収納袋部が矩形で扁平に形成されていることを特徴とする請求項１に記載の携帯用スケジュール記録具。
【請求項６】
前記表側ポケット部のサイズが前記カード型カレンダーのサイズより大きいことを特徴とする請求項１に記載の携帯用スケジュール記録具。
【請求項７】
前記カード型カレンダーにスケジュール記入欄が設けられていることを特徴とする請求項１に記載の携帯用スケジュール記録具。
【請求項８】
前記収納ケースが前記収納袋部の他方の面側に積層形成された裏側ポケット部を有していることを特徴とする請求項１に記載の携帯用スケジュール記録具。
【請求項９】
前記表側ポケット部にカード型のメモ用紙が前記カード型カレンダーとともに収納されていることを特徴とする請求項１に記載の携帯用スケジュール記録具。
【請求項１０】
前記カード型カレンダーを収納した前記クリアファイルの下部を支持する支持具を備えていることを特徴とする請求項１に記載の携帯用スケジュール記録具。
【考案の詳細な説明】
【技術分野】
【０００１】
本考案は、持ち運びが容易な携帯用スケジュール記録具に関するものである。
【背景技術】
【０００２】
持ち運びが容易な携帯用スケジュール記録具としては、従来から、手帳が一般的に使用されている。手帳は、カレンダーのページや、罫線が印刷されたり、白紙状態になっているメモ記入用のページなどからなる。カレンダーのページにはスケジュール記入用のカレンダーが月毎に又は日毎に印刷されている。これらカレンダーのページやメモ記入用のページなどは一方の縁側が一体的に繋がった状態に製本され、全体としてブック型になっている。
【０００３】
このような手帳にスケジュールを記入する場合は、手帳の中のカレンダーのページの該当の月日のページを開いて、該当の月日の欄にスケジュールを記入する。スケジュールを確認する場合は、手帳の中のカレンダーのページの該当の月日のページを開いて、該当の月日の欄に記入されたスケジュールを見る。
【０００４】
従来の手帳は、スケジュールを確認する場合、手帳の中のカレンダーのページをめくって、該当の月日のページを探さなければならず、該当の月日のページを探し出すのが面倒であった。また、電話中などの場合、手帳の中のカレンダーのページを片手で開いて該当の月日のページを探さなければならないので、スケジュールを落ち着いて正確に確認することが困難であった。
【０００５】
また、従来の手帳は、メモ記入用のページや、ToDoリストのページなど、人によっては不要なページも含まれており、持ち運ぶ際に、重いと感じる人もいた。このため、スケジュールはスマートフォンなどのアプリで管理し、ブック型の手帳を持っていたとしても、余分なページを含まない最低限の手帳で良いと思う人が多くなっている。最近、大型の壁掛けカレンダーや、分厚い手帳やノートよりも、コンパクトな卓上用カレンダーや、ページ数が最小限で、軽くてコンパクトな手帳の市場が伸びてきているのは、このような背景からと考えられる。
【０００６】
また、最近は、カバンの中で、ペン、文房具やスマホなど細かいものがバラバラになる悩みを解決する「バッグインバッグ」などの整理用品が人気である。また、フリーアドレスのオフィスや、ノマドワークなどの新しい働き方が浸透してきており、持ち運びに便利で仕事に必要なツールがコンパクトにまとまる製品に需要が高まってきている。
【先行技術文献】
【特許文献】
【０００７】
【特許文献１】実全昭５２−７００４８号公報
【考案の概要】
【考案が解決しようとする課題】
【０００８】
本考案が解決しようとする課題は、カバンから取り出して一瞥するだけでスケジュールを確認することができるコンパクトなスケジュール記録具を提供することである。
【課題を解決するための手段】
【０００９】
本考案に係る携帯用スケジュール記録具は、収納ケースと、該収納ケースに収納されたカード型カレンダーとを備え、該収納ケースは略透明な合成樹脂シートからなり、該収納ケースは、少なくとも収納袋部と、該カード型カレンダーを収納する表側ポケット部とからなり、該収納袋部は開閉可能な開口部を有し、該表側ポケット部は該収納袋部の一方の面側に積層された状態で設けられていることを最も主要な特徴とする。
【００１０】
ここで、前記カード型カレンダーは月単位で形成されている。該カード型カレンダーにはスケジュール記入欄が設けられている。該カード型カレンダーはクリアファイルに収納されて前記表側ポケット部に収納されるようになっている。クリアファイルにはメモ記載用カードをカード型カレンダーとともに収納するようにしても良い。前記表側ポケット部のサイズは該カード型カレンダーのサイズより少し大きく形成されている。
【００１１】
また、前記収納袋部は矩形で扁平に形成されている。前記開口部は該収納袋部の上縁の下近傍位置に該上縁に平行に設けられている。該開口部はスライドファスナーにより開閉可能になっている。前記表側ポケット部の上縁は該開口部より下の高さ位置にある。前記収納ケースは該収納袋部の他方の面側に裏側ポケット部を積層された状態で形成しておいても良い。
【００１２】
本考案に係る携帯用スケジュール記録具は、カード型カレンダーを入れたクリアファイルの下縁に支持具を取り付けて、カード型カレンダーを入れたクリアファイルをデスクの上に立たせ、卓上カレンダーとして使用することができるようにしても良い。
【考案の効果】
【００１３】
本考案によれば、カレンダーのページを斤量の厚い丈夫なカード型にし、透明なケースに収納したので、ページをめくらず、一瞥しただけでスケジュールを確認することができるという利点がある。
【００１４】
また、本考案によれば、月のカレンダーのページをカード型にし、製本しないことにより、最小限のページ数にすることができるので、薄型・軽量にして持ち運びやすいようにすることができるという利点がある。
【００１５】
また、本考案によれば、表側ポケット部は透明な合成樹脂シートからなり、カード型カレンダーに記載されたスケジュールがはっきりと見えるほかに、収納袋部は、ペン、文房具、スマホなどの身の回りのものを整理整頓して持ち運ぶことができるという利点がある。
【００１６】
また、本考案によれば、カード型のカレンダーはクリアファイルに収納し、クリアファイルごと、透明な表側ポケット部に収まるようになっているため、カード型のカレンダーをクリアファイルごと取り出して、オフィスなどのデスクに立てて、卓上カレンダーとして使用することができるという利点がある。
【００１７】
また、本考案によれば、２サイズ、各4色の展開となっていて、好きなサイズと色を選ぶことができる。大きいサイズはA４二つ折りの書類、ペン、メモ帳、スマホなどが入るサイズ、小さいサイズはペン、搭乗券、パスポート、領収書などが入るサイズになっている。
【００１８】
また、本考案によれば、表側ポケット部にクリアファイル入りカード型カレンダーを収納するほかに、収納袋部はジッパー付きの袋、裏側には裏側ポケット部が付いているため、整理整頓がし易く、カバンの中や机の上が散らかり難いという利点がある。
【図面の簡単な説明】
【００１９】
【図１】図１は本考案に係る携帯用スケジュール記録具の一例を示す説明図である。
【図２】図２は本考案に係る携帯用スケジュール記録具の他の例を示す説明図である。
【考案を実施するための形態】
【００２０】
一瞥するだけで自分のスケジュールを直ちに確認することができるようにするという目的を、シンプルな構成で、携帯用スケジュール記録具を重くすることなく実現した。
【実施例１】
【００２１】
図１は本考案に係る携帯用スケジュール記録具の一例を示す説明図、図２は本考案に係る携帯用スケジュール記録具の他の例を示す説明図であり、本考案に係る携帯用スケジュール記録具は、これらの図に示すように、収納ケース１０と、収納ケース１０に収納されたカード型カレンダー１２とを備えている。
【００２２】
収納ケース１０は透明な合成樹脂シートからなる。透明な合成樹脂シートの材料としては、非フタル酸塩化ビニルを使用することができるが、透明な合成樹脂シートであれば非フタル酸塩化ビニル以外の合成樹脂材料を使用しても良い。
【００２３】
収納ケース１０は、少なくとも収納袋部１４と、カード型カレンダー１２を収納する表側ポケット部１６とからなる。収納袋部１４は矩形で扁平な形状をした袋状のものからなる。収納袋部１４の一方の面側の上部には開口部１８が水平に設けられており、開口部１８は収納袋部１４の上縁の下近傍位置に該上縁に平行に設けられている。開口部１８はスライドファスナー２０により開閉可能になっている。
【００２４】
表側ポケット部１６は収納袋部１４の一方の面側に積層形成されている。表側ポケット部１６の上縁は開口部１８より下の高さ位置にある。収納袋部１４の他方の面側に裏側ポケット部（図示せず）を設けても良い。裏側ポケット部（図示せず）も収納袋部１４の他方の面側に積層形成された状態で設けることになる。裏側ポケット部（図示せず）の上縁の高さは表側ポケット部１６と同程度とするのが好ましい。
【００２５】
カード型カレンダー１２は月単位で形成されている複数枚のカレンダーカードからなる。該カレンダーカードの上縁には該当する月を表示するインデックスタブ２２が設けられている。該カレンダーカードの表裏面には該当する月のカレンダーが印刷されている。該カレンダーカードにはスケジュール記入欄２４が設けられている。
【００２６】
複数枚のカレンダーカードはクリアファイル（図示せず）にまとめた状態で表側ポケット部（図示せず）に収納されるようになっている。クリアファイル（図示せず）にはメモ記載用カードをカード型カレンダー１２とともに収納するようにしても良い。複数枚のカレンダーカード及びクリアファイル（図示せず）は表側ポケット部１６より小さく形成され、表側ポケット部１６の中に収納できるようになっている。
【００２７】
本考案に係る携帯用スケジュール記録具は、カード型カレンダーを入れたクリアファイルの下縁に支持具を取り付けて、カード型カレンダーを入れたクリアファイルをデスクの上に立たせ、卓上カレンダーとして使用することができるようにしても良い。
【００２８】
次に、本考案に係る携帯用スケジュール記録具の使用方法について説明する。
【００２９】
スケジュールを記入する場合：  表側ポケット部１６からカード型カレンダー１２をクリアファイル（図示せず）ごと取り出す。カード型カレンダー１２はクリアファイル（図示せず）に入っているので、表側ポケット部１６から取り出し易い。インデックスタブ２２で該当月を探して該当月のカードを選択して取り出し、該当月のカードの該当日の欄にスケジュールを記入する。スケジュールを記入後、カード型カレンダー１２をクリアファイル（図示せず）に入れ、表側ポケット部１６に戻す。
【００３０】
スケジュールを確認する場合：  本考案に係る携帯用スケジュール記録具をバッグの中に入れている場合は、バッグから取り出して表側ポケット部１６を見る。表側ポケット部１６は透明になっているので、内部のカード型カレンダ１２は透けて見え、電話中でも手帳を開くような面倒な動作をすることなく、一瞥するだけでスケジュールを確認することができる。
【００３１】
デスク上で卓上カレンダーとして使用する場合：  カード型カレンダー１２を収納したクリアファイル（図示せず）の下部に支持具（図示せず）を取り付けて、デスク上に立てて置けば、本考案のカード型カレンダー１２を卓上カレンダーとして使用することができる。
【産業上の利用可能性】
【００３２】
本考案は、透明な収納ケースにカード型のカレンダーを収納しておいて、自分のスケジュールを素速く確認する用途だけでなく、例えばスマートフォン、筆記具、パスポート、搭乗券等を収納袋部の中や裏側ポケットの中に入れておいて、これらをバッグの中から素速く取り出す用途にも使用することができる。
【符号の説明】
【００３３】
１０  収納ケース
１２  カード型カレンダー
１４  収納袋部
１６  表側ポケット部
１８  開口部
２０  スライドファスナー
２２  インデックスタブ
２４  スケジュール記入欄
【図１】
0003222450.tif 000003
【図２】
0003222450.tif 000004